(57)【要約】【課題】  本発明は冷却装置に関し、従来に比しファンユニット挿抜穴へのファンユニットの挿入を容易にして、ファンユニットの交換が容易に行える技術を提供することを目的とする。【解決手段】  ファンユニットが挿抜される挿抜穴が設けられた収容部と、前記挿抜穴に開閉可能に支持された２枚のシャッターと、前記挿抜穴に設けられ、前記挿抜穴を閉塞する方向に前記各シャッターを付勢する付勢部材とを有し、２枚の前記シャッターは、前記挿抜穴の内方へ傾斜した位置で互いに当接して、前記挿抜穴を閉塞することを特徴とする。【選択図】    図１
2014232749.tif 000002
【特許請求の範囲】
【請求項１】
ファンユニットが挿抜される挿抜穴が設けられた収容部と、
前記挿抜穴に開閉可能に支持された２枚のシャッターと、
前記挿抜穴に設けられ、前記挿抜穴を閉塞する方向に前記各シャッターを付勢する付勢部材とを有し、
２枚の前記シャッターは、前記挿抜穴の内方へ傾斜した位置で互いに当接して、前記挿抜穴を閉塞することを特徴とする冷却装置。
【請求項２】
請求項１に記載の冷却装置において、
前記挿抜穴に、前記付勢部材で前記挿抜穴を閉塞する方向に付勢された前記シャッターの移動を規制するストッパが設けられ、
前記シャッターは、一方が前記ストッパに当接し、前記シャッターの他方は一方の前記シャッターに当接して、
両シャッターは前記挿抜穴を閉塞することを特徴とする冷却装置。
【請求項３】
請求項１に記載の冷却装置において、
前記ファンユニットに、ファンユニットの挿入方向へ突片が突設され、
前記突片は、前記挿抜穴へのファンユニットの挿入時に、前記挿抜穴を閉塞する前記シャッターを押圧して挿抜穴の内方へ押し広げることを特徴とする冷却装置。
【請求項４】
請求項３に記載の冷却装置において、
前記ファンユニットに、前記突片で押し広げられた前記各シャッターに当接するコロが装着され、前記コロは、前記突片に代わって前記各ャッターを更に挿抜穴の内方へ押し広げることを特徴とする冷却装置。
【請求項５】
請求項１に記載の冷却装置において、
前記各シャッターは、それぞれ両側部がストッパ側へ断面Ｌ字状に折曲されたガイド部が設けられ、
前記ガイド部は、前記挿抜穴への前記ファンユニットの挿入時に、前記ファンユニットを前記挿抜穴の内方へ案内することを特徴とする冷却装置。
【請求項６】
請求項３または請求項４に記載の冷却装置において、
前記突片は、前記挿抜穴を閉塞する前記各シャッターに対し斜めに当接するように傾斜して、ファンユニットに突設されていることを特徴とする冷却装置。
【発明の詳細な説明】
【技術分野】
【０００１】
本発明は、通信装置等の電子機器の冷却装置に関する。
【背景技術】
【０００２】
通信装置等の電子機器は、筐体（シェルフ）に設けたファンユニットの収容部（以下「ファンユニット収容部」という）に複数のファンユニットを収容し、ファンの通風によって筐体内の電子部品を強制冷却している。そして、電子部品の高密度の実装に伴い、ファンの風量が増加している。
【０００３】
また、昨今、通信装置等の電子機器は２４時間の連続稼働が一般化している。このため、ファンを冗長化し、電子機器を稼働させ乍ら、ファンユニット収容部に設けたファンユニットの挿抜穴（以下「ファンユニット挿抜穴」という）からファンユニットの交換を行うホットスワップが広く行われている。
【０００４】
しかし、ファンユニットのホットスワップの際に、ファンユニットを抜去したファンユニット挿抜穴から空気が筐体内に逆流してしまうと、ファンによる空冷システムが十分に機能せず、筐体内の電子部品の温度が上昇してしまう虞がある。
【０００５】
そこで、ホットスワップの際に装置全体の冷却性能を低下させないように、ファンユニット挿抜穴を塞いで空気の逆流を抑制するシャッターがファンユニット挿抜穴に取り付けられている。
【０００６】
一般的なシャッター構造は、ファンユニット挿抜穴の開口縁にヒンジや回転軸を介して２枚のシャッターを両開きに開閉可能に支持したもので、各シャッターの背面側には、ファンユニット挿抜穴を常時閉塞する方向にシャッターを付勢するばねが装着されている。
【０００７】
そして、ファンユニットの抜去時に、ばねの付勢力で２枚のシャッターが、ファンユニットの挿抜方向に対し９０°の角度で面一に閉じられてファンユニット挿抜穴が閉塞される。この後、ファンユニット挿抜穴へのファンユニットの挿入によって、２枚のシャッターがばねのばね力に抗してファンユニット挿抜穴の内方へ押し広げられる構造となっている（例えば、特許文献１参照）。
【先行技術文献】
【特許文献】
【０００８】
【特許文献１】特開２００２−６９９４号公報
【発明の概要】
【発明が解決しようとする課題】
【０００９】
そして、昨今、ファンユニットの交換時に発生する空気の逆流によってシャッターが開かないようにするため、ファンユニット挿抜穴を閉塞する方向にシャッターを付勢するばねのばね力を強く設定している。
【００１０】
しかし、斯様にばねのばね力を強く設定してしまうと、ファンユニットをファンユニット挿抜穴へ挿入する際に大きな力でシャッターを押し広げなければならず、ファンユニット挿抜穴へのファンユニットの挿入がし難く、操作性が悪くなっている。
【００１１】
本件開示の冷却装置は、従来に比しファンユニット挿抜穴へのファンユニットの挿入を容易にして、ファンユニットの交換が容易に行える技術を提供することを目的とする。
【課題を解決するための手段】
【００１２】
一つの観点によれば、冷却装置は、ファンユニットが挿抜される挿抜穴が設けられた収容部と、前記挿抜穴に開閉可能に支持された２枚のシャッターと、前記挿抜穴に設けられ、前記挿抜穴を閉塞する方向に前記各シャッターを付勢する付勢部材とを有し、２枚の前記シャッターは、前記挿抜穴の内方へ傾斜した位置で互いに当接して、前記挿抜穴を閉塞することを特徴とする。
【発明の効果】
【００１３】
本件開示の電子機器によれば、従来に比し挿抜穴へのファンユニットの挿入が容易となり、ファンユニットの交換を容易に行うことが可能となる。
【図面の簡単な説明】
【００１４】
【図１】冷却装置の一実施形態の全体斜視図である。
【図２】図１に示した冷却装置のファンユニット収容部とファンユニットの部分拡大斜視図である。
【図３】図１に示した冷却装置のファンユニット収容部のファンユニット挿抜穴と、これに取り付く２枚のシャッターの拡大斜視図である。
【図４】図３に示したシャッターの要部断面図である。
【図５】図３に示したシャッターの要部断面図である。
【図６】図１に示した冷却装置のファンユニットの全体斜視図である。
【図７】図６のＡ部の拡大斜視図である。
【図８】図１に示した冷却装置のファンユニット挿抜穴へのファンユニットの挿入開始状態を示す側面図である。
【図９】図１に示した冷却装置のファンユニット挿抜穴へのファンユニットの挿入中の状態を示す側面図である。
【図１０】図１に示した冷却装置のファンユニット挿抜穴へのファンユニットの挿入完了の状態を示す側面図である。
【図１１】ファンユニットの他の実施形態の全体斜視図である。
【図１２】図１１のＢ部の拡大斜視図である。
【図１３】９０°の角度でファンユニット挿抜穴を閉じている従来の２枚のシャッターと、く字状に配置されてファンユニット挿抜穴を閉じているシャッターとの、シャッターを開く際の力のモーメントの説明図である。
【発明を実施するための形態】
【００１５】
以下、図面を用いて実施形態を説明する。
【００１６】
図１は冷却装置の一実施形態を示し、図２は図１に示した冷却装置に設けられ、ファンユニットが収容される収容部（以下「ファンユニット収容部」という）とファンユニットの部分拡大図である。尚、図２において、ファンユニット収容部の左側の側面板は省略されている。
【００１７】
図１において、１は通信装置３の筐体、５は筐体１の背面側に設けられた冷却装置６のファンユニット収容部で、筐体１は直方体形状とされている。
【００１８】
筐体１の正面側の左右の側面７には、ケーブルホルダー１１がブラケット１３を介して取り付けられている。ケーブルホルダー１１は、多数の突片９が一方向に突設されて側面から見て櫛形状に形成されており、筐体１に取り付けられたケーブルホルダー１１の各突片９は、筐体１（通信装置３）の前方へ突出している。そして、通信装置３に接続される各種インタフェースケーブル（図示せず）がケーブルホルダー１１の突片９にほう縛されて、通信装置３の正面のコネクタ（図示せず）に接続される。
【００１９】
ファンユニット収容部５は、左右の平板状の側面板５ａ，５ｂと天井板５ｃ、底面板（図示せず）によって、筐体１の背面側から見て枠状に設けられている。そして、図２に示すように筐体１の背面側には、ファンユニット収容部５の外形形状に沿った開口部１５が設けられており、ファンユニット収容部５は開口部１５に沿って筐体１の背面側に取り付き、筐体１の内部と連通している。
【００２０】
ファンユニット収容部５内は、図２に示す仕切板１７によって、ファンユニット２１が挿抜される挿抜穴（以下「ファンユニット挿抜穴」という）１９が上下方向に複数区画されている。そして、各ファンユニット挿抜穴１９の上下に、ファンユニット挿抜穴１９からのファンユニット２１の抜去時に、ファンユニット挿抜穴１９を塞いで筐体１内への空気の逆流を抑制する２枚の樹脂製のシャッター２３，２５が取り付けられている。
【００２１】
図３は図１に示した冷却装置６のファンユニット収容部５のファンユニット挿抜穴１９と、これに取り付く２枚のシャッター２３，２５を示している。図３において、２７はファンユニット挿抜穴１９の左右の開口縁に対向配置された平板状の支持ブラケットである。
【００２２】
シャッター２３，２５は、ファンユニット挿抜穴１９を２枚一組で閉塞可能な矩形状の板材で、上側のシャッター２３は、左右の支持ブラケット２７間に１本の回転軸２９を介して回転可能に支持されている。一方、下側のシャッター２５は、下部側が左右の支持ブラケット２７間に１本の回転軸２９を介して回転可能に支持されている。そして、シャッター２３，２５の表面には、上下方向に補強用のリブ３１が突設され、シャッター２３，２５の背面側には、複数本の補強用のリブ３３，３５（図８）が格子状に設けられている。
【００２３】
また、シャッター２３，２５の背面側には、ファンユニット挿抜穴１９を常時閉塞する方向にシャッター２３，２５を付勢するねじりばね３７（図８）が、天井板５ｃや仕切板１７等との間に装着されている。ねじりばね３７は付勢部材の一例である。
【００２４】
更に、２枚のシャッター２３，２５の左右の両側部は、後述するストッパ３９側へ断面Ｌ字状に折曲されたガイド片４１，４３が設けられており、ガイド片４１，４３は、ファンユニット挿抜穴１９へのファンユニット２１の挿入時のガイドとして機能する。
【００２５】
一方、図３に示すようにファンユニット挿抜穴１９内の側面板５ａ，５ｂには、左右一対のストッパ３９が対向してネジ止めされている。図３中、４５はストッパ３９をネジ止めする取付ねじである。一例として左右のストッパ３９は、シャッター２３，２５を支持する上下の回転軸２９から等距離に配置され、且つファンユニット挿抜穴１９の開口縁の近傍に配置されている。
【００２６】
図４及び図５は、図３に示したシャッター２３，２５の要部を示している。図４は上側のシャッター２３よりも先に閉じた下側のシャッター２５がストッパ３９に突き当たった状態を示している。また、図５は下側のシャッター２５よりも先に閉じた上側のシャッター２３がストッパ３９に突き当たった状態を示している。
【００２７】
既述したようにシャッター２３，２５は、ファンユニット挿抜穴１９を常時閉塞する方向にねじりばね３７（図８）で付勢されている。しかし、ファンユニット挿抜穴１９からのファンユニット２１の抜去時に、シャッター２３，２５は必ずしも同時に閉じてストッパ３９に突き当たるものではない。このため、図４の如くシャッター２５が先にストッパ３９に突き当たったり、図５の如くシャッター２３が先にストッパ３９に突き当たったりする。
【００２８】
ストッパ３９は薄肉なブロック部材で、上下のシャッター２３，２５が突き当たる後部側の角部に傾斜面４７、４９が上下に設けられている。図５に示すように上側の傾斜面４７の勾配は、上側のシャッター２３が先に閉じられたときに、シャッター２３の左右のガイド片４１が傾斜面４７全体に突き当たるように設定されている。同様に、図４の如く下側の傾斜面４９の勾配も、先に下側のシャッター２５が閉じられたときに、シャッター２５の左右のガイド片４３が傾斜面４９全体に突き当たるように設定されている。
【００２９】
そして、例えば図４に示すように下側のシャッター２５が先に閉じてガイド片４３が傾斜面４９に突き当たると、後から閉じたシャッター２３の先端部５１がシャッター２５の先端部５３に当接するようになっている。このとき、シャッター２３のガイド片４１は傾斜面４７に突き当たらず、傾斜面４７とガイド片４１との間に隙間が空いている。
【００３０】
同様に、図５の如く先に閉じた上側のシャッター２３のガイド片４１が傾斜面４７に突き当たると、後から閉じたシャッター２５の先端部５３がシャッター２３の先端部５１に当接して、傾斜面４９とガイド片４３との間に隙間が空くようになっている。
【００３１】
このようにシャッター２３，２５がストッパ２５に突き当たって、それぞれの先端部５１，５３同士が当接することで、図１乃至図５に示すようにシャッター２３，２５は側面から見て「く字状」に配置されて、ファンユニット挿抜穴１９を閉塞する。
【００３２】
図６は図１に示した冷却装置６のファンユニット２１を示している。ファンユニット２１はファンユニット挿抜穴１９に対してホットスワップ可能である。図７は図６のＡ部の拡大図を示す。
【００３３】
図６に示すようにファンユニット２１は、直方体形状のケーシング５５内にファン５７が組み込まれたユニット体で、図２に示すようにケーシング５５の背面側に一個の取っ手５８が上下方向に取り付けられている。
【００３４】
複数のファンユニット２１による冷却装置６の空冷システムは、前面吸気、背面排気である。このため、図６に示すようにファンユニット２１（ケーシング５５）の挿入側の正面部５９に、多数のハニカム状の小穴６１からなる吸気部６３が設けられている。また、図２に示すようにファンユニット２１（ケーシング５５）の背面部６５に、多数のハニカム状の小穴６７からなる排気部６９が設けられている。そして、図６に示すようにケーシング５５の正面部５９の、図中、左側の上下の角部に、一枚の平板状のつば７１，７３がファンユニット２１の挿入方向へ突設されている。つば７１，７３は突片の一例で、つば７１，７３は正面部５９の上下方向へ同一線上に配置されている。
【００３５】
つば７１は、ファンユニット挿抜穴１９へのファンユニット２１の挿入時に、ファンユニット挿抜穴１９を閉塞しているシャッター２３，２５のうち、上側のシャッター２３の表面に当接してシャッター２３をファンユニット挿抜穴１９内へ押し広げるものである。
そして、図７に示すようにつば７１は、上側の角部が斜め下方へ切り欠かれて、一例として側面から見てほぼ台形形状とされている。
【００３６】
同様に、つば７３は、ファンユニット挿抜穴１９へのファンユニット２１の挿入時に、下側のシャッター２５をファンユニット挿抜穴１９内へ押し広げるもので、図６の如く下側の角部が斜め上方へ切り欠かれて、一例として側面から見てほぼ台形形状とされている。つば７１，７３をこのような形状にすることで、ファンユニット２１の挿入時に、つば７１，７３が、回転軸２９から離れたシャッター２３，２５の先端部５１，５３側の表面を押圧するため、従来に比し回転軸２９にかかる負荷が軽減される。
【００３７】
更に、図６及び図７に示すようにケーシング５５の正面部５９の四隅には、コロ７５が支持ねじ７７で回転可能に装着されている。
【００３８】
図８は図１に示した冷却装置６のファンユニット挿抜穴１９へのファンユニット２１の挿入開始の状態を示している。図８の状態でシャッター２３，２５はまだ閉じられている。図９は図１に示した冷却装置６のファンユニット挿抜穴１９へのファンユニット２１の挿入途中の状態を示している。図１０は図１に示した冷却装置６のファンユニット挿抜穴１９へのファンユニット２１の挿入完了の状態を示している。
【００３９】
図８に示すようにファンユニット挿抜穴１９へのファンユニット２１の挿入時に、先ず、つば７１，７３がシャッター２３，２５をファンユニット挿抜穴１９内へ押し広げる。そして、図９の如くつば７１，７３によってシャッター２３，２５が所定量押し広げられると、つば７１，７３に代わってコロ７５が、シャッター２３，２５の表面を転がり乍らシャッター２３，２５を更に内方へ押し広げるようになっている。尚、図１０に示すようにファンユニット２１の挿入が完了すると、シャッター２３，２５は、それぞれファンユニット２１と天井板５ｃ（図８）や仕切板１７（図８）との間に収まる構造となっている。
【００４０】
本実施形態に係る冷却装置６はこのような構造を有しており、次に、ファンユニット収容部５（ファンユニット挿抜穴１９）へのファンユニット２１の挿抜と、これに伴うシャッター２３，２５の開閉動作等について説明する。
【００４１】
冷却装置６の全てのファンユニット挿抜穴１９にファンユニット２１が挿着されて、通信装置３とともに冷却装置６が稼働される。すると、ファンユニット２１により、筐体１の正面側から筐体１内部に流れ込む流入気流、冷却対象である電子部品を冷却し乍ら筐体１の内部を通過する冷却気流、ファンユニット２１から筐体１の外に排出される流出気流が発生する。このとき、図１０に示すように各ファンユニット挿抜穴１９のシャッター２３，２５は、それぞれファンユニット２１と天井板５ｃ（図８）や仕切板１７（図８）との間に収まっている。
【００４２】
そして、ファンユニット２１のホットスワップによって一つのファンユニット挿抜穴１９からファンユニット２１が抜去されると、図４または図５に示すようにねじりばね３７のばね力でシャッター２３，２５がファンユニット挿抜穴１９の開口部側へ閉じる。この後、シャッター２３，２５の一方が先にストッパ３９に突き当たる。このとき、図４で既述したように、例えば下側のシャッター２５が先に閉じてガイド片４３が傾斜面４９に突き当たると、後から閉じたシャッター２３の先端部５１がシャッター２５の先端部５３に当接して、シャッター２３がシャッター２５に支持される。
【００４３】
これにより、シャッター２３，２５が側面から見て「く字状」に配置される。そして、斯様にシャッター２３，２５の先端部５１，５３が当接することで、シャッター２３，２５間（先端部５１，５３間）に隙間が発生せず、ファンユニット２１が抜去されたファンユニット挿抜穴１９はシャッター２３，２５で隙間なく閉塞される。
【００４４】
そして、シャッター２３，２５を閉じた状態で側面から見て「く字状」になるように配置した結果、ねじりばね３７のたわみ角度が大きくなるため、ばね力が高い状態でシャッター２３，２５が閉まる。この結果、内部が負圧となった筐体１内へとファンユニット挿
抜穴１９から流入しようとする外部からの空気の逆流による風圧に対し、シャッター２３，２５が耐えることができる。
【００４５】
同様に図５の如くシャッター２３が先に閉じてガイド片４１がストッパ３９に突き当たった場合も、後から閉じたシャッター２５の先端部５３がシャッター２３の先端部５１に当接するため、ファンユニット挿抜穴１９はシャッター２３，２５で隙間なく閉塞される。
【００４６】
この後、シャッター２３，２５で閉塞されたファンユニット挿抜穴１９に新しいファンユニット２１が挿入されると、つば７１，７３が回転軸２９から離れた先端部５１，５３側のシャッター２３，２５の表面を押圧して、シャッター２３，２５を内方へ押し広げる。
【００４７】
そして、以下に記載の如く、ファンユニット２１の挿入時に、ファンユニットの挿抜方向に対し９０°の角度で面一にファンユニット挿抜穴を閉じている従来の２枚のシャッターに比し、シャッター２３，２５を小さな力で開くことができる。
【００４８】
図１３は９０°の角度でファンユニット挿抜穴１９を閉じている従来の２枚のシャッター８９，９１と、「く字状」に配置されてファンユニット挿抜穴１９を閉じている本実施形態のシャッター２３，２５との、シャッターを開く際の力のモーメントの説明図を示す。
【００４９】
尚、シャッター９１とシャッター２５は破線で示して、力のモーメントの説明を省略する。そして、一例としてシャッター２３は４５°の角度でファンユニット挿抜穴１９の内方へ傾斜している。また、図１３の説明図では、つば７１，７３を持たないファンユニット２１-2を用いている。
【００５０】
図１３(a)，(b)において、Ｐはファンユニット２１-2の角部がシャッター２３，８９を押圧する作用点である。そして、図１３(a)において、一例としてシャッター８９の回転軸２９と作用点Ｐとの距離ｄ１をｄ１＝１とすると、図１３(b)において、４５°に傾斜したシャッター２３の回転軸２９と作用点Ｐとの距離ｄ２は、ｄ２＝√２ｄ１の式からｄ２＝√２となる。
【００５１】
そして、シャッター２３，８９に回転運動を与える力のモーメントＮの大きさは、シャッター２３，８９に加わる力Ｆと回転軸２９から作用点Ｐまでの距離ｄ１，ｄ２の積で表される。
【００５２】
そこで、一例としてシャッター８９を押し広げるファンユニット２１-2の力ＦをＦ１＝１とすると、シャッター８９に回転運動を与える力のモーメントＮは、Ｎ＝Ｆ１×ｄ１の式からＮ＝１となる。
【００５３】
一方、図１３(b)の如くシャッター２３の作用点Ｐにファンユニット２１-2の力Ｆ１が作用すると、力Ｆ１はシャッター２３を押し広げる力Ｆ２と、ファンユニット２１-2を押し下げる力Ｆ３とに分解される。この結果、力Ｆ２＝√２Ｆ１の式から、シャッター２３を押し広ける力Ｆ２＝√２となる。
【００５４】
このように、Ｆ２＝√２、ｄ２＝√２の数値を基に、シャッター２３に回転運動を与える力のモーメントＮは、Ｎ＝Ｆ２×ｄ２の式からＮ＝２となる。
【００５５】
これは、シャッター２３，８９の作用点Ｐにかかるファンユニット２１-2の力Ｆ１が同一であるにも拘わらず、シャッター２３に回転運動を与える力のモーメントＮが、シャッター８９に対する力のモーメントＮよりも２倍大きく、楽に開くことを示している。そして、これは、シャッター２３を押し広げる力が、シャッター８９を押し広げる力の半分で済むことを意味する。
【００５６】
そして、図示しないが、つば７１，７３を有するファンユニット２１を用いた場合には、シャッター２３に作用するつば７１の作用点Ｐが、図１３(b)の作用点Ｐから更にシャッター２３の先端側へと移行する。このことは、回転軸２９と作用点Ｐとの距離ｄ２が更に長くなることを意味し、シャッター２３を押し広げる力が、シャッター８９を押し広げる力の更に半分以下で済むことを意味する。
【００５７】
このように、ファンユニット挿抜穴１９へのファンユニット２１の挿入時に、９０°の角度で面一にファンユニット挿抜穴１９を閉じている従来のシャッター８９に比し、シャッター２３を小さな力で開くことができる。
【００５８】
また、従来に比し、つば７１，７３が回転軸２９から離れたシャッター２３，２５の表面を押圧するため、ファンユニット２１の挿入時に回転軸２９にかかる負荷が軽減される。
【００５９】
そして、図９の如くつば７１，７３によってシャッター２３，２５が所定量押し広げられると、つば７１，７３に代わってコロ７５が、シャッター２３，２５の表面を転がり乍らシャッター２３，２５を更に内方へ押し広げる。
【００６０】
図１３(b)の如く４５°傾斜したシャッター２３の作用点Ｐにファンユニット２１-2の角部が当たると、シャッター２３が押し広げられるに従い、作用点Ｐは徐々にシャッター２３の先端側へ移行するが、作用点Ｐに大きな摩擦力が発生する。
【００６１】
しかし、既述したようにシャッター２３，２５が所定量押し広げられると、コロ７５がシャッター２３の表面を転がり乍らシャッター２３，２５を更に内方へ押し広げるため、シャッター２３，２５がスムーズに開く。そして、シャッター２３の表面を転がるコロ７５を設けた結果、作用点Ｐに発生する摩擦力が軽減されるとともに、シャッター２３，２５の表面に傷がつくことが抑制される。
【００６２】
そして、シャッター２３，２５が押し広げられていくと、シャッター２３，２５の両側に設けたガイド片４１，４３が、ファンユニット２１をファンユニット挿抜穴１９の奥へと案内するガイドとして機能する。
【００６３】
この後、図１０の如くファンユニット２１の挿入が完了されると、シャッター２３，２５は、それぞれファンユニット２１と天井板５ｃ（図８）や仕切板１７（図８）との間に収まり、ファンユニット２１による冷却に支障を来すことがない。
【００６４】
このように本実施形態の冷却装置６によれば、シャッター２３，２５を「く字状」に配置してファンユニット挿抜穴１９を閉塞させる構造としたため、従来に比し小さい力でシャッター２３，２５を押し広げることが可能となる。この結果、ファンユニット２１のホットスワップ時に、ファンユニット２１の交換を容易に行うことが可能となる。
【００６５】
また、斯様にシャッター２３，２５を閉じた状態で「く字状」に配置したことで、シャッター２３，２５間に隙間が発生しないため、従来に比し冷却性能の向上ができるとともに高い防塵効果が得られる。
【００６６】
更に、既述したようにシャッター２３，２５を「く字状」に配したことでねじりばね３７のたわみ角度が大きくなるため、ばね力が高い状態でシャッター２３，２５が閉まり、逆流による風圧に対してシャッター２３，２５が耐えることができる。
【００６７】
そして、シャッター２３，２５で閉塞されたファンユニット挿抜穴１９へのファンユニット２１の挿入時に、つば７１，７３が回転軸２９から離れたシャッター２３，２５の表面を押圧するため、回転軸２９にかかる負荷が従来に比し軽減される。また、つば７１，７３によってシャッター２３，２５が所定量押し広げられると、つば７１，７３に代わってコロ７５がシャッター２３，２５の表面を回転し乍らシャッター２３，２５を更に内方へ押し広げるため、シャッター２３，２５の表面に傷がつくことがない。
【００６８】
更に、シャッター２３，２５が押し広げられていくと、シャッター２３，２５の両側に設けたガイド片４１，４３が、ファンユニット２１をファンユニット挿抜穴１９の奥へと案内するガイドとして機能するため、ファンユニット２１の操作性が良好となる。
【００６９】
尚、ファンユニット２１の挿抜は、ホットスワップ時に限定されるものではない。
【００７０】
図１１はファンユニットの他の実施形態を示している。図１１では、図６のつば７１，７３と形状の異なるつばがファンユニットに取り付けられている。図１２は図１１のＢ部の拡大斜視図である。尚、図１１のファンユニット２１-1は、つば７９，８１の形状とコロ７５の取付構造を除き、図６のファンユニット２１と同様の構成であるため、同一のものには同一符号を付してそれらの説明は省略する。
【００７１】
つば７９，８１は、ファンユニット２１-1のケーシング５５の正面部５９に対して、図７のつば７１，７３と同様の位置に取り付けられている。そして、図１２に示すように上側のつば７９は、ケーシング５５の角部の近傍の側部８３側からケーシング５５の上部８５へと斜め上方へ傾斜させて取り付けられている。一方、下側のつば８１は、ケーシング５５の角部近傍の側部８３側からケーシング５５の下部８７へと斜め下方へ傾斜して取り付けられており、シャッター２３，２５に当接するつば７９，８１の先端は、前方へと僅かに湾曲した形状となっている。
【００７２】
このように、つば７９，８１をシャッター２３，２５に対し斜めに当接するように傾斜させることで、シャッター２３，２５との接触角度が大きくなって摩擦抵抗を小さくできることから、シャッター２３，２５を押し広げる力を更に軽減できる利点を有する。
【００７３】
また、斯様にケーシング５５の角部の近傍でつば７９，８１を傾斜させることで、ケーシング５５の角部を面取りすることが可能となって、ファンユニット２１-1の更なる小型化が図れる利点を有する。
【００７４】
以上の詳細な説明により、実施形態の特徴点及び利点が明らかになるであろう。これは、特許請求の範囲がその精神及び権利範囲を逸脱しない範囲で前述のような実施形態の特徴点及び利点にまで及ぶことを意図するものである。また、当該技術分野において通常の知識を有する者であれば、あらゆる改良及び変更に容易に想到できるはずである。したがって、発明性を有する実施形態の範囲を前述したものに限定する意図はなく、実施形態に開示された範囲に含まれる適当な改良及び均等物に拠ることも可能である。
【符号の説明】
【００７５】
１・・・筐体；３・・・通信装置；５・・・ファンユニット収容部；６・・・冷却装置；１１・・・ケーブルホルダー；１７・・・仕切板；１９・・・ファンユニット挿抜穴；２１・・・ファンユニット；２３，２５，８９・・・シャッター；２７・・・支持ブラケット；２９・・・回転軸；３７・・・ねじりばね；３９・・・ストッパ；４１，４３・・・ガイド片；４７、４９・・・傾斜面；５５・・・ケーシング；５７・・・ファン；６３・・・吸気部；６９・・・排気部；７１，７３，７９，８１・・・つば；７５・・・コロ
【図２】
2014232749.tif 000003
【図３】
2014232749.tif 000004
【図４】
2014232749.tif 000005
【図５】
2014232749.tif 000006
【図６】
2014232749.tif 000007
【図７】
2014232749.tif 000008
【図１１】
2014232749.tif 000009
【図１２】
2014232749.tif 000010
【図１３】
2014232749.tif 000011
【図１】
2014232749.tif 000012
【図８】
2014232749.tif 000013
【図９】
2014232749.tif 000014
【図１０】
2014232749.tif 000015